(57)【要約】【課題】電力系統監視制御装置に異常が発生し、その一部の機能が喪失した場合の対策として、電力系統監視制御装置を多重化する回避策や、電力系統監視制御装置が設置されている複数制御所間で相互バックアップする回避策があるが、これらの回避策では設備投資費用、運用費等が高騰する。【解決手段】系統設備から受信した系統情報を収集し、当該系統状態を監視する監視機能、保存された当該系統情報を読み出すＴＣ表示機能、ＴＣ表示機能が読み出した情報を前記ネットワークを介して外部装置に送信するＷｅｂサーバ機能を有する遠方監視制御装置と、前記ネットワークに接続されることにより前記遠方監視制御装置と連系され、当該遠方監視制御装置への前記系統設備の系統情報の要求及び要求した情報を受信する表示・設定機能を有する操作端末装置と、を備えた。【選択図】図２
2008193799.tif 000002
【特許請求の範囲】
【請求項１】
ネットワークに接続されるとともに、系統設備から受信した系統情報を収集し、当該系統状態を監視する監視機能、保存された当該系統情報を読み出す情報処理表示機能（以下ＴＣ表示機能と称す。）、当該ＴＣ表示機能が読み出した情報を前記ネットワークを介して外部装置に送信するＷｅｂサーバ機能を有する遠方監視制御装置と、
前記ネットワークに接続されることにより前記遠方監視制御装置と連系され、当該遠方監視制御装置への前記系統設備の系統情報の要求及び要求した情報を受信する表示・設定機能を有する操作端末装置と、
を備えた電力系統監視制御システム。
【請求項２】
ネットワークに接続されるとともに、系統設備から受信した系統情報を収集、加工し、保存する記録加工機能、保存された記録情報を読み出すＴＣ表示機能、当該ＴＣ表示機能が読み出した情報を前記ネットワークを介して外部装置に送信するＷｅｂサーバ機能を有する遠方監視制御装置と、
前記ネットワークに接続されることにより前記遠方監視制御装置と連系され、当該遠方監視制御装置への系統設備の記録情報の要求及び要求した情報を受信する表示・設定機能を有する操作端末装置と、
を備えた電力系統監視制御システム。
【請求項３】
ネットワークに接続されるとともに、系統設備から受信した系統情報から系統設備の事故発生を判定する事故判定機能、当該事故判定機能の判定結果を通知する事故通知機能、事故発生情報の通知を受取るＴＣ表示機能、当該ＴＣ表示機能が通知された情報を前記ネットワークを介して外部装置に送信するＷｅｂサーバ機能を有する遠方監視制御装置と、
前記ネットワークに接続されることにより前記遠方監視制御装置と連系され、当該遠方監視制御装置への事故通知情報の要求及び要求した情報を受信する表示・設定機能を有する操作端末装置と、
を備えた電力系統監視制御システム。
【請求項４】
前記遠方監視制御装置は、前記事故通知機能から事故発生情報を受信し、事故発生時の系統情報を保存する事故情報保存機能と、保存された事故情報を読み出すＴＣ表示機能とを有することを特徴とする請求項３記載の電力系統監視制御システム。
【請求項５】
ネットワークに接続されるとともに、系統設備から受信した系統情報を模擬する系統模擬機能、当該系統模擬機能にて模擬作成した系統情報を受取るＴＣ表示機能、当該ＴＣ表示機能が読み出した情報を前記ネットワークを介して外部装置に送信するＷｅｂサーバ機能を有する遠方監視制御装置と、
前記ネットワークに接続されることにより前記遠方監視制御装置と連系され、当該遠方監視制御装置への模擬系統情報の要求及び要求した情報を受信する表示・設定機能を有する操作端末装置と、
を備えた電力系統監視制御システム。
【請求項６】
ネットワークに接続されるとともに、自装置の動作履歴を保存する自装置動作履歴保存機能、保存された動作履歴データを取り出す動作履歴取り出し機能、前記ネットワークを介して外部装置との間で動作履歴データの授受を行うＷｅｂサーバ機能を有する遠方監視制御装置と、
前記ネットワークに接続されることにより前記遠方監視制御装置と連系され、当該遠方監視制御装置の動作履歴を参照する動作履歴参照機能としての表示・設定機能を有する操作端末装置と、
を備えた電力系統監視制御システム。
【請求項７】
ネットワークに接続されるとともに、系統設備から受信した数値情報を収集し、平滑処理を行い保存するＴＭ平滑処理機能、保存された、前記平滑処理後の数値情報（以下平滑ＴＭ情報と称す。）を読み出すＴＣ表示機能、ＴＣ表示機能が読み出した情報を前記ネットワークを介して外部装置へ送信するＷｅｂサーバ機能を有する遠方監視制御装置と、
前記ネットワークに接続されることにより前記遠方監視制御装置と連系され、当該遠方監視制御装置への系統設備の平滑ＴＭ情報の要求及び要求した情報を受信する表示・設定機能を有することを特徴とする操作端末装置と、
を備えた電力系統監視制御システム。
【請求項８】
ネットワークに接続されるとともに、系統設備から受信した数値情報を収集し、加工処理を行い保存するＴＭ加工処理機能、保存された前記加工処理後の数値情報（以下加工ＴＭ情報と称す。）を読み出すＴＣ表示機能、ＴＣ表示機能が読み出した情報を前記ネットワークを介して外部装置へ送信するＷｅｂサーバ機能を有する遠方監視制御装置と、
前記ネットワークに接続されることにより前記遠方監視制御装置と連系され、当該遠方監視制御装置への系統設備の加工ＴＭ情報の要求及び要求した情報を受信する表示・設定機能を有する操作端末装置と、
を備えた電力系統監視制御システム。
【請求項９】
ネットワークを介して外部装置に接続されるとともに、Ｗｅｂサーバ機能と、ＴＣ表示機能と、受信機能と、前記受信機能を経て系統設備から受信した系統情報をオンライン監視する監視機能と、前記系統情報から判定した系統設備の事故情報を保存する事故情報保存機能と、を備え、
前記外部装置から前記Ｗｅｂサーバ機能を介して前記監視機能に取り込まれた系統情報（以下監視データと称す。）あるいは事故情報データの表示要求を受けると、前記ＴＣ表示機能および前記Ｗｅｂサーバ機能を経て当該監視データあるいは事故情報データを前記外部装置に送信することを特徴とする電力系統監視システムの遠方監視制御装置。
【請求項１０】
ネットワークを介して外部装置に接続されるとともに、自装置の動作履歴を保存する自装置動作履歴保存機能と、保存された動作履歴データを取り出す動作履歴取り出し機能と、前記ネットワークを介して外部装置との間で動作履歴データの授受を行うＷｅｂサーバ機能と、を備え、
前記外部装置から前記Ｗｅｂサーバ機能を介して自装置の動作履歴データの読み出し要求を受けると、前記動作履歴取り出し機能および前記Ｗｅｂサーバ機能を経て当該動作履歴データを前記外部装置に送信することを特徴とする電力系統監視システムの遠方監視制御装置。
【発明の詳細な説明】
【技術分野】
【０００１】
本発明は、電力系統監視制御装置と遠方監視制御装置とをネットワークを介して接続し、相互間で情報通信を行うように構成された電力系統監視制御システムおよびその遠方監視制御装置に関する。
【背景技術】
【０００２】
従来の電力系統監視制御システムは、電力系統監視制御装置および遠方監視制御装置の間を専用回線で接続し、電力系統監視制御装置からの制御要求を専用回線を介して遠方監視制御装置に送信するとともに、遠方監視制御装置で作成された系統データを専用回線により電力系統監視制御装置に送信するように構成されていた。
【０００３】
そして、９０年代中頃からインターネットの急速な普及に伴い、電力系統監視制御システムにおいても、近年になってインターネット通信プロトコル（ＴＣＰ／ＩＰ）を採用した電力系統監視制御装置や遠方監視制御装置が開発されるようになり、インターネットに接続さえすれば、どの電力系統監視制御装置からでも遠方監視制御装置にアクセスして系統データを取得し、系統設備の監視制御が可能になってきた（例えば、特許文献１参照）。
【特許文献１】特開2002-238158号公報
【発明の開示】
【発明が解決しようとする課題】
【０００４】
ところで、電力系統の大規模化、系統運用の高度化および複雑化に伴い、電力系統監視制御装置の重要性は益々増大している。従って、万一電力系統監視制御装置に異常が発生し、その一部の機能が喪失したとしても、電力系統に対する監視不能あるいは制御不能な状態に陥らないように対策を講じる必要がある。
【０００５】
これに関して、上述した特許文献１に記載されている従来システムでは、電力系統監視制御装置を多重化するという回避策や、電力系統監視制御装置が設置されている複数制御所間で相互バックアップするという回避策が検討されている。しかし、近年の経済動向や電力事業を取り巻く環境の変化等から設備投資費用、運用費等を圧縮することが重要な課題となっており、電力系統監視制御装置の多重化や、複数制御所間での相互バックアップは経済的に難しい状況にある。
【０００６】
本発明は上記課題を解決するためになされたもので、遠方監視制御装置にＷｅｂサーバ機能を持たせ、電力系統監視制御装置に異常が発生して電力系統の監視制御が不能な状態に陥った時、電力系統監視制御装置が有する機能を実装した操作端末装置を遠方監視制御装置へ直接アクセスできるようにし、電力系統の監視を可能にした電力系統監視制御システムおよびその遠方監視制御装置を得ることを目的とするものである。
【課題を解決するための手段】
【０００７】
上記の目的を達成するため、請求項１に係る電力系統監視制御システムの発明は、ネットワークに接続されるとともに、系統設備から受信した系統情報を収集し、当該系統状態を監視する監視機能、保存された当該系統情報を読み出す情報処理表示機能（以下ＴＣ表示機能と称す。）、当該ＴＣ表示機能が読み出した情報を前記ネットワークを介して外部装置に送信するＷｅｂサーバ機能を有する遠方監視制御装置と、前記ネットワークに接続されることにより前記遠方監視制御装置と連系され、当該遠方監視制御装置への前記系統設備の系統情報の要求及び要求した情報を受信する表示・設定機能を有する操作端末装置と、を備えたことを特徴とする。
【０００８】
また、請求項２に係る電力系統監視制御システムの発明は、ネットワークに接続されるとともに、系統設備から受信した系統情報を収集、加工し、保存する記録加工機能、保存された記録情報を読み出すＴＣ表示機能、当該ＴＣ表示機能が読み出した情報を前記ネットワークを介して外部装置に送信するＷｅｂサーバ機能を有する遠方監視制御装置と、前記ネットワークに接続されることにより前記遠方監視制御装置と連系され、当該遠方監視制御装置への系統設備の記録情報の要求及び要求した情報を受信する表示・設定機能を有する操作端末装置と、を備えたことを特徴とする。
【０００９】
また、請求項３に係る電力系統監視制御システムの発明は、ネットワークに接続されるとともに、系統設備から受信した系統情報から系統設備の事故発生を判定する事故判定機能、当該事故判定機能の判定結果を通知する事故通知機能、事故発生情報の通知を受取るＴＣ表示機能、当該ＴＣ表示機能が通知された情報を前記ネットワークを介して外部装置に送信するＷｅｂサーバ機能を有する遠方監視制御装置と、前記ネットワークに接続されることにより前記遠方監視制御装置と連系され、当該遠方監視制御装置への事故通知情報の要求及び要求した情報を受信する表示・設定機能を有する操作端末装置と、を備えたことを特徴とする。
【００１０】
また、請求項５に係る電力系統監視制御システムの発明は、ネットワークに接続されるとともに、系統設備から受信した系統情報を模擬する系統模擬機能、当該系統模擬機能にて模擬作成した系統情報を受取るＴＣ表示機能、当該ＴＣ表示機能が読み出した情報を前記ネットワークを介して外部装置に送信するＷｅｂサーバ機能を有する遠方監視制御装置と、前記ネットワークに接続されることにより前記遠方監視制御装置と連系され、当該遠方監視制御装置への模擬系統情報の要求及び要求した情報を受信する表示・設定機能を有する操作端末装置と、を備えたことを特徴とする。
【００１１】
また、請求項６に係る電力系統監視制御システムの発明は、ネットワークに接続されるとともに、自装置の動作履歴を保存する自装置動作履歴保存機能、保存された動作履歴データを取り出す動作履歴取り出し機能、前記ネットワークを介して外部装置との間で動作履歴データの授受を行うＷｅｂサーバ機能を有する遠方監視制御装置と、前記ネットワークに接続されることにより前記遠方監視制御装置と連系され、当該遠方監視制御装置の動作履歴を参照する動作履歴参照機能としての表示・設定機能を有する操作端末装置と、を備えたことを特徴とする。
【００１２】
また、請求項７に係る電力系統監視制御システムの発明は、ネットワークに接続されるとともに、系統設備から受信した数値情報を収集し、平滑処理を行い保存するＴＭ平滑処理機能、保存された、前記平滑処理後の数値情報（以下平滑ＴＭ情報と称す。）を読み出すＴＣ表示機能、ＴＣ表示機能が読み出した情報を前記ネットワークを介して外部装置へ送信するＷｅｂサーバ機能を有する遠方監視制御装置と、前記ネットワークに接続されることにより前記遠方監視制御装置と連系され、当該遠方監視制御装置への系統設備の平滑ＴＭ情報の要求及び要求した情報を受信する表示・設定機能を有することを特徴とする操作端末装置と、を備えたことを特徴とする。
【００１３】
さらに、請求項８に係る電力系統監視制御システムの発明は、ネットワークに接続されるとともに、系統設備から受信した数値情報を収集し、加工処理を行い保存するＴＭ加工処理機能、保存された前記加工処理後の数値情報（以下加工ＴＭ情報と称す。）を読み出すＴＣ表示機能、ＴＣ表示機能が読み出した情報を前記ネットワークを介して外部装置へ送信するＷｅｂサーバ機能を有する遠方監視制御装置と、前記ネットワークに接続されることにより前記遠方監視制御装置と連系され、当該遠方監視制御装置への系統設備の加工ＴＭ情報の要求及び要求した情報を受信する表示・設定機能を有する操作端末装置と、を備えたことを特徴とする。
【００１４】
さらにまた、請求項９に係る電力系統監視システムの遠方監視制御装置の発明は、ネットワークを介して外部装置に接続されるとともに、Ｗｅｂサーバ機能と、ＴＣ表示機能と、受信機能と、前記受信機能を経て系統設備から受信した系統情報をオンライン監視する監視機能と、前記系統情報から判定した系統設備の事故情報を保存する事故情報保存機能と、を備え、前記外部装置から前記Ｗｅｂサーバ機能を介して前記監視機能に取り込まれた系統情報（以下監視データと称す。）あるいは事故情報データの表示要求を受けると、前記ＴＣ表示機能および前記Ｗｅｂサーバ機能を経て当該監視データあるいは事故情報データを前記外部装置に送信することを特徴とする。
【００１５】
またさらに、請求項１０に係る電力系統監視システムの遠方監視制御装置の発明は、ネットワークを介して外部装置に接続されるとともに、自装置の動作履歴を保存する自装置動作履歴保存機能と、保存された動作履歴データを取り出す動作履歴取り出し機能と、前記ネットワークを介して外部装置との間で動作履歴データの授受を行うＷｅｂサーバ機能と、を備え、前記外部装置から前記Ｗｅｂサーバ機能を介して自装置の動作履歴データの読み出し要求を受けると、前記動作履歴取り出し機能および前記Ｗｅｂサーバ機能を経て当該動作履歴データを前記外部装置に送信することを特徴とする。
【発明の効果】
【００１６】
本発明によれば、遠方監視制御装置にＷｅｂサーバ機能を実装するとともに、監視機能、記録加工機能、事故判定機能、事故通知機能、事故情報保存機能、ＴＭ平滑処理機能およびＴＭ加工処理機能等の機能のいずれかの機能を実装してネットワークに接続し、さらに、操作端末装置に表示・設定機能を実装してネットワークに接続することにより、操作端末装置において系統設備から収集記録したデータや事故時の系統情報を参照することができるので、電力系統監視制御装置の異常により電力系統の監視制御が不能な状態に陥った場合でも設備投資費用、運用費等の高騰を招かずに系統設備の監視が可能である。
【発明を実施するための最良の形態】
【００１７】
以下、本発明に係る電力系統監視制御システムの実施の形態について、図面を参照して説明する。  
図１は本発明に係る電力系統監視制御システムの全体を示す概略構成図であり、図２は本発明に係る電力系統監視制御システムの電力系統監視制御装置、遠方監視制御装置および操作端末装置を示す詳細構成図である。
【００１８】
（構成）
まず、図１を参照して電力系統監視制御システム全体の概略構成について説明する。１−１および１−２は制御所であり、それぞれ監視制御サーバ計算機として機能する電力系統監視制御装置２−１、２−２および監視制御クライアント計算機として機能する専用端末装置３−１、３−２を備えている。
【００１９】
電力系統監視制御装置２−１、２−２は、それぞれ専用端末装置３−１、３−２からの要求によって後述する遠方監視制御装置に要求を出力したり、逆に遠方監視制御装置から入力した系統データを処理して、専用端末装置３−１、３−２の出力装置（ディスプレイ等）に出力する機能を備えている。
【００２０】
また、電力系統監視制御装置２−１および２−２は、インターネット通信プロトコル（ＴＣＰ／ＩＰ）を採用した送受信部２１−１および２１−２を備えており、この送受信部２１−１および２１−２によりインターネットの広域ネットワーク（単に、ネットワークという）４に接続され、さらにこのネットワーク４を介して発電所や変電所等の電気所５−１、５−２、〜５−ｎの管轄内に設置された遠方監視制御装置６−１、６−２、〜６−ｎと接続されている。
【００２１】
遠方監視制御装置６−１、６−２、〜６−ｎも、インターネット通信プロトコル（ＴＣＰ／ＩＰ）を採用した送受信部６１−１、６１−２、〜６１−ｎを備えており、この送受信部６１−１、６１−２、〜６１−ｎにより前記ネットワーク４に接続されている。そして、遠方監視制御装置６−１、６−２、〜６−ｎは、電気所５−１、５−２、〜５−ｎ管轄内の電力系統を構成する設備、例えば発電機、遮断器あるいは断路器等の系統設備７−１、７−２、〜７−ｎを制御し、かつ系統設備７−１、７−２、〜７−ｎから制御結果としての状態情報を入力して系統データを作成し、前記送受信部６１−１、６１−２、〜６１−ｎからネットワーク４に送信する機能を有している。
【００２２】
８はパソコンやワークステーション等により構成された操作端末装置であって、電力系統監視制御装置２が有する監視・制御に必要な機能を実装しており、ネットワーク４を介して遠方監視制御装置６−１、〜６−ｎと接続される。この操作端末装置８は、電力系統監視制御装置２−１、〜２−ｎに異常が発生して電力系統の監視制御が不能な状態に陥った場合、電力系統監視制御装置２−１、〜２−ｎに代わって系統設備７−１、〜７−ｎの監視と制御を行う。
【００２３】
次に、図２を参照して電力系統監視制御装置、遠方監視制御装置および操作端末装置の詳細構成を説明する。なお、図２では電力系統監視制御装置２−１および遠方監視制御装置６−１を代表例として示す。
【００２４】
図２において、電力系統監視制御装置２−１は、情報表示機能２０１、系統模擬設定機能２０２および動作履歴参照機能２０３を備えており、これに対して操作端末装置８は、表示・設定機能８０１を備え、この表示・設定機能８０１によって電力系統監視制御装置２−１の異常時に電力系統監視制御装置２−１に代わって前記情報表示機能２０１、系統模擬設定機能２０２および動作履歴参照機能２０３を実行する。  
なお、電力系統監視制御装置２−１および操作端末装置８には送受信部は必要であるが、図２では省略している。
【００２５】
また、遠方監視制御装置６−１は、前述の送受信部６１−１の機能を司るＷｅｂサーバ機能６０１の他に、次の機能を備えている。
すなわち、系統模擬機能６０２と、ＴＣ表示機能６０３と、監視機能６０４と、記録加工機能６０５と、事故判定機能６０６と、事故通知機能６０７と、事故情報保存機能６０８と、ＴＭ平滑処理機能６０９と、ＴＭ加工処理機能６１０と、受信機能６１１と、ＴＣ−Ｉ／Ｏ機能６１２と、自装置動作履歴保存機能６１３と、履歴データ取り出し機能６１４と、を備えている。
【００２６】
なお、遠方監視制御装置６−１内の各符号の先頭にＤなる符合を付けたものは、データ自体あるいはデータを格納したファイルを指す。例えば、Ｄ６０４であれば、監視機能６０４で扱う監視データあるいは監視データを一時格納するファイルを表す。
【００２７】
（作用）
以上のように構成された本実施形態の電力系統監視制御システムの作用を３つに分けて説明する。
【００２８】
（１）  まず、遠方監視制御装置６−１について説明する。  
遠方監視制御装置６−１は、電力系統監視制御装置２−１が正常に稼動しているときは勿論のこと、異常が発生したときにも、次の機能を実行している。
【００２９】
すなわち、監視機能６０４は、系統設備側とのインタフェースの役割を持つＴＣ−Ｉ／Ｏ機能６１２および受信機能６１１を介して系統設備７−１からオンラインで受信した表示情報を監視用として収集し、同情報を監視データファイルＤ６０４へ保存する。
【００３０】
記録加工機能６０５は、ＴＣ−Ｉ／Ｏ機能６１２および受信機能６１１を介して系統設備７−１から受信した表示情報のうち、二値・数値情報を記録用として収集し、同情報を記録データファイルＤ６０５へ保存する。
【００３１】
事故判定機能６０６は、ＴＣ−Ｉ／Ｏ機能６１２および受信機能６１１を介して系統設備７−１から受信した系統設備情報に基づいて系統事故の判定を行い、事故発生と判定した時は、事故通知機能６０７を介してＴＣ表示機能６０３に事故発生情報を通知するとともに、事故情報保存機能６０８にも事故発生情報を通知する。
【００３２】
事故情報保存機能６０８は、事故通知機能６０７から事故発生情報の通知を受けると、ＴＣ−Ｉ／Ｏ機能６１２および受信機能６１１を介して系統設備７−１より受信した系統事故発生時の表示情報を事故情報データファイルＤ６０８へ保存する。
【００３３】
ＴＭ平滑処理機能６０９は、ＴＣ−Ｉ／Ｏ機能６１２および受信機能６１１を介して系統設備７−１から受信した表示情報のうち、数値情報について平滑処理し、平滑処理された同情報を平滑ＴＭデータファイルＤ６０９へ保存する。
【００３４】
ＴＭ加工処理機能６１０は、ＴＣ−Ｉ／Ｏ機能６１２および受信機能６１１を介して系統設備７−１から受信した表示情報のうち、数値情報についてＴＭ加工処理し、ＴＭ加工処理された同情報を加工ＴＭデータファイルＤ６１０へ保存する。  
自装置動作履歴保存機能６１３は、遠方監視制御装置６−１自体の動作履歴を履歴データファイルＤ６１３に保存する。
【００３５】
（２）  次に、電力系統監視制御装置２−１の異常時に電力系統監視制御装置２−１による電力系統の監視制御が不能な状態に陥った状況下での応動について説明する。
【００３６】
この状況下では、操作端末装置８に実装されている表示・設定機能８０１は、電力系統監視制御装置２−１が実装している情報表示機能２０１と同等機能として、遠方監視制御装置６−１のＷｅｂサーバ機能６０１とＴＣ表示機能６０３とを介して、次のデータ（ａ）〜（ｆ）の全てあるいはいずれかの表示要求を送信する。すなわち、
（ａ）系統設備７−１から受信し、監視機能６０４により監視した情報である監視データＤ６０４、
（ｂ）系統設備７−１から受信し、記録加工機能６０５により記録加工処理した情報である記録データＤ６０５、
（ｃ）系統設備７−１から受信した系統情報に基づいて事故判定を行う事故判定機能６０６から事故通知機能６０７を介して受信した事故判定情報、
（ｄ）この事故通知機能６０７事故通知を受け事故情報保存機能６０８により事故発生時の電力系統の事故情報を保存する事故情報データＤ６０８、
（ｅ）系統設備７−１から受信し、ＴＭ平滑処理機能６０９により平滑処理したＴＭ平滑データＤ６０９、
（ｆ）系統設備７−１から受信し、加工処理したＴＭ加工データＤ６１０、
の全てあるいはいずれかについての表示要求を送信する。
【００３７】
すると、Ｗｅｂサーバ機能６０１は、表示要求内容に応答して、ＴＣ表示機能６０３を介して監視データＤ６０４、記録データＤ６０５、事故通知機能６０７から通知された事故発生情報、事故情報データＤ６０８、ＴＭ平滑データＤ６０９およびＴＭ加工データＤ６１０の中から対応するデータを操作端末装置８の表示・設定機能８０１へ送信する。
【００３８】
また、操作端末装置８に実装されている表示・設定機能８０１は、電力系統監視制御装置２−１が実装している系統模擬設定機能２０２と同等機能として、遠方監視制御装置６−１のＷｅｂサーバ機能６０１を介し、系統模擬機能６０２へ系統設備７−１の表示情報を設定通知することにより、ＴＣ表示機能６０３を介し、系統設備７−１の表示情報を模擬することができる。
【００３９】
すなわち、表示・設定機能８０１からＷｅｂサーバ機能６０１を介して系統模擬機能６０２へ系統設備７−１の表示情報を設定通知すると、系統模擬機能６０２は、設定通知された表示情報を基にして、ＴＣ表示機能６０３と、Ｗｅｂサーバ機能６０１とを介して操作端末装置８へ系統設備７−１の模擬表示情報を模擬送信する。
【００４０】
さらに、操作端末装置８に実装されている表示・設定機能８０１は、電力系統監視制御装置２−１が実装している動作履歴参照機能２０３と同等機能として、遠方監視制御装置６−１のＷｅｂサーバ機能６０１を介し、遠方監視制御装置６−１の動作履歴を読み出すことができる。
【００４１】
すなわち、表示・設定機能８０１からＷｅｂサーバ機能６０１を介して自装置動作履歴保存機能６１３にて保存された履歴データＤ６１３を履歴データ取り出し機能６１４へ要求すると、履歴データ取り出し機能６１４は、履歴データＤ６１３を読出し、そして読み出した情報をＷｅｂサーバ機能６０１を介して操作端末装置８の表示・設定機能８０１へ送信する。
【００４２】
（３）  以上の説明は電力系統監視制御装置２−１が異常な状態に陥った状況下での応動であるが、電力系統監視制御装置２−１が正常に稼動している場合の応動について説明する。  この場合、電力系統監視制御装置２−１に実装されている情報表示機能２０１、系統模擬設定機能２０２および動作履歴参照機能２０３によって、遠方監視制御装置６−１に対して各種の要求が送信され、系統設備７−１から収集記録したデータや事故時の系統情報、模擬表示情報等を参照して系統設備７−１の監視、遠方監視制御装置６−１の動作履歴の参照ができることは言うまでもない。
【００４３】
（効果）
以上述べたように、本実施形態によれば、遠方監視制御装置６−１に監視機能６０４、記録加工機能６０５、事故判定機能６０６、事故通知機能６０７、事故情報保存機能６０８、ＴＭ平滑処理機能６０９およびＴＭ加工処理機能６１０等の諸機能を実装するとともに、Ｗｅｂサーバ機能６０１をも実装するようにし、一方、操作端末装置８に表示・設定機能８０１を実装するようにしたので、系統設備７から収集記録したデータや事故時の系統情報をパソコンやワークステーション等により構成された操作端末装置８から参照することができる。この結果、電力系統監視制御装置２に異常が発生して電力系統の監視制御が不能な状態に陥った時でも、設備投資費用、運用費等を抑制した状態で系統設備７の監視が可能となる。
【００４４】
また、遠方監視制御装置６に系統模擬機能６０２を設けたことにより、系統設備７が無くても系統設備情報の模擬を行うことができる。さらに、直接、遠方監視制御装置６のある場所まで赴かなくても、操作端末装置８から遠方監視制御装置６の動作履歴を参照することができる。
【図面の簡単な説明】
【００４５】
【図１】本発明に係る電力系統監視制御システム全体を示す概略構成図。
【図２】本発明に係る電力系統監視制御システムの電力系統監視制御装置、遠方監視制御装置および操作端末装置を示す詳細構成図。
【符号の説明】
【００４６】
２−１，〜２−ｎ…電力系統監視制御装置、２０１…情報表示機能、２０２…系統模擬設定機能、２０３…動作履歴参照機能、４…ネットワーク（インターネット）、６−１，〜６−ｎ…遠方監視制御装置、６０１…Ｗｅｂサーバ機能、６０２…系統模擬機能、６０３…ＴＣ表示機能、６１１…受信機能、６１２…ＴＣ−Ｉ／Ｏ機能、６０４…監視機能、６０５…記録加工機能、６０６…事故判定機能、６０７…事故通知機能、６０８…事故情報保存機能、６０９…ＴＭ平滑処理機能、６１０…ＴＭ加工処理機能、６１４…履歴データ取り出し機能、６１３…自装置動作履歴保存機能、７−１，〜７−ｎ…系統設備、８…操作端末装置、８０１…表示・設定機能。
【図１】
2008193799.tif 000003
【図２】
2008193799.tif 000004